(57)【要約】【課題】小型で持ち運びやすいスマートフォン等の携帯情報端末に接続される印刷装置を提供する。【解決手段】記録紙に印刷をするプリンタと、前記プリンタを保持するベース板と、前記ベース板の一方の面に取り付けられ、携帯情報端末を保持するジャケットと、前記ベース板の他方の面に取り付けられ、記録紙を収容するカセットと、を有することを特徴とする印刷装置を提供することにより上記課題を解決する。【選択図】  図５
2019005923.tif 000002
【特許請求の範囲】
【請求項１】
記録紙に印刷をするプリンタと、
前記プリンタを保持するベース板と、
前記ベース板の一方の面に取り付けられ、携帯情報端末を保持するジャケットと、
前記ベース板の他方の面に取り付けられ、記録紙を収容するカセットと、
を有することを特徴とする印刷装置。
【請求項２】
前記プリンタは、記録紙を給紙する給紙ローラを有し、
前記カセットは、前記給紙ローラに接して回転する第１の搬送ローラと、前記第１の搬送ローラの回転に伴い回転する、前記カセットに収容された記録紙の表面に接触する第２の搬送ローラと、
を有することを特徴とする請求項１に記載の印刷装置。
【請求項３】
前記カセットは、上蓋と、前記上蓋から分離可能な下蓋とを有し、
前記記録紙は、前記上蓋と前記下蓋との間に積み重ねられることを特徴とする請求項１または２に記載の印刷装置。
【請求項４】
前記ベース板には、重心を調節する重心調節部が設けられていることを特徴とする請求項３に記載の印刷装置。
【請求項５】
前記下蓋には、前記記録紙を前記上蓋に向けて付勢するバネが設けられていることを特徴とする請求項３または４に記載の印刷装置。
【請求項６】
前記ベース板と上蓋とは、一体化していること特徴とする請求項３から５のいずれかに記載の印刷装置。
【発明の詳細な説明】
【技術分野】
【０００１】
本発明は、印刷装置に関する。
【背景技術】
【０００２】
従来より、携帯型のプリンタが存在しているが、このようなプリンタは箱形に形成されており比較的大きく、バッグ等に入れられて持ち運ばれていた。また、プリンタには記録紙や記録紙を入れるホルダ等も必要であり、これらも一緒に持ち運ぶ場合が多い。
【先行技術文献】
【特許文献】
【０００３】
【特許文献１】特開２００３−９４７５０号公報
【特許文献２】特開２００３−２５６０７５号公報
【発明の概要】
【発明が解決しようとする課題】
【０００４】
近年は、スマートフォン等の携帯情報端末が普及しており、携帯情報端末を用いて、他の情報端末と同様に記録紙に印刷したいといったニーズが考えられる。携帯情報端末は携帯性を有することを特徴としているため、携帯情報端末に接続されるプリンタも小型で携帯性の高いものが好ましい。
【０００５】
よって、携帯情報端末に接続される、小型で持ち運びやすい印刷装置が求められている。
【課題を解決するための手段】
【０００６】
本実施の形態の一観点によれば、記録紙に印刷をするプリンタと、前記プリンタを保持するベース板と、前記ベース板の一方の面に取り付けられ、携帯情報端末を保持するジャケットと、前記ベース板の他方の面に取り付けられ、記録紙を収容するカセットと、を有することを特徴とする。
【発明の効果】
【０００７】
開示の印刷装置によれば、小型で持ち運びやすい、携帯情報端末に接続される印刷装置を得ることができる。
【図面の簡単な説明】
【０００８】
【図１】本実施の形態の印刷装置の斜視図（１）
【図２】本実施の形態の印刷装置の上面図（１）
【図３】本実施の形態の印刷装置の正面図（１）
【図４】本実施の形態の印刷装置の背面図（１）
【図５】本実施の形態の印刷装置の斜視図（２）
【図６】本実施の形態の印刷装置の上面図（２）
【図７】本実施の形態の印刷装置の底面図
【図８】本実施の形態の印刷装置の正面図（２）
【図９】本実施の形態の印刷装置の背面図（２）
【図１０】本実施の形態の印刷装置の側面図
【図１１】本実施の形態の印刷装置の分解斜視図（１）
【図１２】本実施の形態の印刷装置の分解斜視図（２）
【図１３】本実施の形態のプリンタの斜視図
【図１４】本実施の形態のプリンタの断面図
【図１５】本実施の形態のベース板の斜視図（１）
【図１６】本実施の形態のベース板の斜視図（２）
【図１７】本実施の形態の記録紙カセットの斜視図
【図１８】本実施の形態の記録紙カセットの側面図
【図１９】本実施の形態の記録紙カセットの分解斜視図
【図２０】本実施の形態の記録紙カセットのカセット上蓋の斜視図
【図２１】本実施の形態の記録紙カセットの断面図
【図２２】本実施の形態の記録紙カセットの説明図（１）
【図２３】本実施の形態の記録紙カセットの説明図（２）
【図２４】本実施の形態の記録紙カセットの説明図（３）
【図２５】ベース板にジャケット及びカセットを取り付けた斜視図（１）
【図２６】ベース板にジャケット及びカセットを取り付けた斜視図（２）
【図２７】ベース板にジャケット及びカセットを取り付けた側面図
【図２８】ベース板にジャケット及びカセットを取り付けた正面図
【図２９】本実施の形態の印刷装置の印刷方法の説明図
【図３０】本実施の形態の印刷装置で単票を積み重ねて使用する場合の説明図（１）
【図３１】本実施の形態の印刷装置で単票を積み重ねて使用する場合の説明図（２）
【図３２】本実施の形態の印刷装置で単票を積み重ねて使用する場合の説明図（３）
【図３３】本実施の形態の印刷装置で単票を積み重ねて使用する場合の説明図（４）
【図３４】本実施の形態の印刷装置で単票を積み重ねて使用する場合の説明図（５）
【図３５】本実施の形態の記録紙カセットの斜視図（１）
【図３６】本実施の形態の記録紙カセットの斜視図（２）
【図３７】本実施の形態の記録紙カセットの説明図
【発明を実施するための形態】
【０００９】
本発明を実施するための形態について、以下に説明する。尚、同じ部材等については、同一の符号を付して説明を省略する。本願において、Ｘ１−Ｘ２方向、Ｙ１−Ｙ２方向、Ｚ１−Ｚ２方向を相互に直交する方向とする。また、Ｘ１−Ｘ２方向及びＹ１−Ｙ２方向を含む面をＸＹ面と記載し、Ｙ１−Ｙ２方向及びＺ１−Ｚ２方向を含む面をＹＺ面と記載し、Ｚ１−Ｚ２方向及びＸ１−Ｘ２方向を含む面をＺＸ面と記載する。
【００１０】
（印刷装置）
本実施の形態における印刷装置について、図１〜図１２に基づき説明する。図１は、本実施の形態における印刷装置の斜視図であり、図２は上面図であり、図３は正面図であり、図４は背面図である。図５は、ジャケット１１０の上蓋１１１を開いた状態の斜視図であり、図６は上面図であり、図７は底面図であり、図８は正面図であり、図９は背面図であり、図１０は側面図である。図１１は、印刷装置を上面から見た分解斜視図であり、図１２は底面から見た分解斜視図である。
【００１１】
本実施の形態におけるプリンタは、スマートフォン等の携帯情報端末１００から受信した情報を記録紙に印刷するものである。印刷装置は、スマホジャケット（以下「ジャケット」）１１０、ペン型のプリンタ２００、記録紙を収容するカセット３００、ベース板４００を有している。また、スマートフォン等の携帯情報端末１００を用いて他から受信した情報を、プリンタを用いて印刷してもよい。
【００１２】
（ジャケット）
ジャケット１１０は合成皮革等により形成されている。携帯情報端末１００は、Ｘ１−Ｘ２方向の長さがＹ１−Ｙ２方向の長さよりも長い略長方形であって、やや厚い平板状の形状のものであり、ジャケット１１０はこれに対応した形状の上蓋１１１と下蓋１１２とを有している。上蓋１１１と下蓋１１２とは、Ｙ１側端部においてＸ１−Ｘ２方向に沿って形成された折り曲げ部１１３により接続されている。
【００１３】
携帯情報端末１００にジャケット１１０が取り付けられた状態では、携帯情報端末１００は、ジャケット１１０の上蓋１１１と下蓋１１２との間に挟まれる。具体的には、下蓋１１２の内側面１１２ａの上に携帯情報端末１００の裏面１００ｂを設置し、折り曲げ部１１３において上蓋１１１を折り曲げることにより、携帯情報端末１００の表面１００ａが上蓋１１１により覆われる。携帯情報端末１００の表面１００ａは上蓋１１１により覆われ、裏面１００ｂは下蓋１１２により覆われる。
【００１４】
ジャケット１１０には、上蓋１１１の折り曲げ部１１３と接続されている側とは反対側に、磁石を内蔵したマグネット１１４が設けられている。プリンタ２００を保持するクリップ４１１、４１２の磁性体材料を含んでいる部分がマグネット１１４に磁力により引き付けられるため、マグネットを用いることで上蓋１１１により携帯情報端末１００を覆った状態を維持することができる。
【００１５】
（プリンタ）
次に、プリンタ２００について、図１３及び図１４に基づき説明する。図１３は、プリンタ２００の斜視図であり、図１４はプリンタ部分の断面図である。プリンタ２００は外観が円柱状に形成されており、プリンタ機能と無線による通信機能とを有しているＩｏＴ（Internet of Things）デバイスである。
【００１６】
プリンタ２００は、サーマルヘッド等の印刷ヘッド２１１、プラテンローラ２１２、給紙ローラ２１３、記録紙ガイド２１４、加圧バネ、制御基板２１６、内蓋２５０、外蓋２６０を有している。印刷ヘッド２１１は加圧バネのバネ力によりプラテンローラ２１２に押されている。記録紙は、微粘着性の給紙ローラ２１３が設けられている側から、記録紙ガイド２１４に沿ってプリンタ２００に入り、印刷ヘッド２１１とプラテンローラ２１２との間で挟まれた状態で、プラテンローラ２１２により搬送されながら印刷されて排紙される。制御基板２１６には、プリンタ２００の制御を行う電子回路や電子部品が搭載されている。
【００１７】
内蓋２５０及び外蓋２６０は円筒状であり、外蓋２６０の内側に内蓋２５０が入るように形成されている。内蓋２５０には、その母線に沿って開口している給紙口２５１及び排紙口２５２が設けられており、外蓋２６０にはその母線に沿って開口している給紙口２６１及び排紙口２６２が設けられている。外蓋２６０は、その内側に内蓋２５０が入れられた状態で内蓋２５０に対し回転可能である。プリンタ２００により印刷を行う際には、内蓋２５０の給紙口２５１と外蓋２６０の給紙口２６１の位置が一致して開いており、内蓋２５０の排紙口２５２と外蓋２６０の排紙口２６２の位置が一致して開いている。このように開いている給紙口２５１及び給紙口２６１より記録紙がプリンタ２００に入り、排紙口２５２及び排紙口２６２より排紙される。
【００１８】
プリンタ２００においては、印刷が可能な給紙口２５１、２６１が開放している状態で、記録紙が収納されたカセット３００を給紙口２６１に接続できる。プリンタ２００で印刷を行う際には、印刷データが携帯情報端末１００よりプリンタ２００にＢＬＥ（Bluetooth Low Energy）等の無線通信により送信される。プリンタ２００はアンテナから印刷データを受信し、記録紙に印刷が行われる。
【００１９】
プリンタ２００の筐体内部には、充電池であるリチウムイオン電池が入れられた電源２８０が設けられている。リチウムイオン電池より供給された電力により、プリンタ２００を駆動することができる。
【００２０】
プリンタ２００は、直径が約１８ｍｍ、長さは約１６５ｍｍと小型であり、ストレスを伴うことなく持ち運びができる。プリンタ２００にはフック２９０が設けられており、ペンと同様に衣服の胸のポケット等にさした状態で持ち運ぶことが可能である。
【００２１】
（ベース板）
次に、ベース板４００について、図１５及び図１６に基づき説明する。図１５はベース板４００を上面から見た斜視図であり、図１６は底面から見た斜視図である。
【００２２】
ベース板４００は樹脂材料等により形成されており、ＸＹ面に略平行な板状であって、携帯情報端末１００やジャケット１１０の下蓋１１２の形状に対応して、Ｘ１−Ｘ２方向の幅がＹ１−Ｙ２方向の幅よりも長い略長方形の平板状に形成されている。ベース板４００のＹ２側のＸ１−Ｘ２方向に沿った側部には、プリンタ２００を取り付けるためのクリップ４１１、４１２が設けられている。クリップ４１１、４１２は、プリンタ２００が入れられるように円環の一部を取り除いた形状に形成されている。プリンタ２００がクリップ４１１、４１２に取り付けられ保持されている状態では、プリンタ２００の長手方向はＸ１−Ｘ２方向となり、記録紙１５０はＹ２方向に排出される。
【００２３】
また、図１１及び図１２に示されるように、ベース板４００のＺ１側の面４００ａには、ジャケット１１０の下蓋１１２が取り付けられ、ベース板４００のＺ２側の面４００ｂにはカセット３００が取り付けられる。また、Ｚ２側の面４００ｂのＸ２側の端部近傍には、バランスをとるための錘４２０が設けられている。
【００２４】
（カセット）
次に、カセット３００について、図１７から図２１に基づき説明する。図１７は、カセット３００を上面から見た斜視図であり、図１８は側面図であり、図１９は分解斜視図であり、図２０は上蓋を底面から見た斜視図であり、図２１は断面図である。尚、本実施の形態における記録紙は、ラベル用紙等であってもよい。
【００２５】
カセット３００は、上蓋３１０、下蓋３２０、第１の搬送ローラ３３０、第２の搬送ローラ３４０を有している。カセット３００は、Ｙ１−Ｙ２方向の長さがＸ１−Ｘ２方向よりも長い略長方形に形成されている。よって、上蓋３１０及び下蓋３２０もＹ１−Ｙ２方向の長さがＸ１−Ｘ２方向よりも長い。
【００２６】
上蓋３１０の周囲には、Ｚ２側に延びる側壁３１１が設けられている。側壁３１１の内側は、Ｚ１側が凹んだ凹部３１２となる。また、側壁３１１の内側には、Ｚ２方向に延びる記録紙ガイド３１３が５個設けられている。具体的には、Ｘ１側のＹ１−Ｙ２方向に沿った側壁３１１の内側には、Ｙ１−Ｙ２方向に沿って２つの記録紙ガイド３１３が設けられており、Ｘ２側のＹ１−Ｙ２方向に沿った側壁３１１の内側には、Ｙ１−Ｙ２方向に沿って２つの記録紙ガイド３１３が設けられている。Ｙ１−Ｙ２方向に沿って、Ｘ１側とＸ２側に設けられた記録紙ガイド３１３は対向している。また、Ｙ１側のＸ１−Ｘ２方向に沿った側壁３１１の内側には記録紙ガイド３１３が１つ設けられている。
【００２７】
各々の記録紙ガイド３１３のＺ２側の先端には、外側に広がる傾斜部３１３ａが形成されている。後述するように、印刷装置により記録紙１５０に印刷することにより、積み重ねられた記録紙１５０は減少し、印刷装置は下方向、即ち、Ｚ２方向に下がるが、傾斜部３１３ａを設けることにより、印刷装置がＸ１−Ｘ２方向やＹ１−Ｙ２方向にずれてバランスを崩し、積み重ねられた記録紙１５０が倒れることを防いでいる。即ち、傾斜部３１３ａを設けることにより、上蓋３１０の側壁３１１の内側は、なだらかな末広がりとなり、記録紙１５０が上蓋３１０の凹部３１２に入り込みやすくなっている。具体的には、記録紙１５０の側面となるＸ１−Ｘ２方向、及び、Ｙ１−Ｙ２方向が揃っておらず、凸凹していても、記録紙１５０に印刷がなされ下に降下した際に、傾斜部３１３ａにより記録紙１５０が、上蓋３１０の凹部３１２に入り込み、これにより、印刷装置がＸ１−Ｘ２方向やＹ１−Ｙ２方向にずれてバランスを崩し、積み重ねられた記録紙１５０が倒れることを防いでいる。
【００２８】
上蓋３１０のＹ２側には、第１の搬送ローラ３３０及び第２の搬送ローラ３４０が、Ｘ１−Ｘ２方向が長手方向となるように設けられている。更に、この近傍には、記録紙をプリンタに供給するための開口３１４が形成されている。また、側壁３１１のＹ１側の内側には、記録紙ガイド３１３の両側に２つのロック溝３１５が設けられている。
【００２９】
下蓋３２０の周囲には、Ｚ１側に延びる側壁３２１が設けられている。側壁３２１の内側はＺ２側が凹んだ凹部３２２となる。また、側壁３２１の内側には、Ｚ１側に延びる記録紙ガイド３２３が２個設けられている。具体的には、Ｘ１側のＹ１−Ｙ２方向に沿った側壁３２１の内側、及び、Ｘ２側のＹ１−Ｙ２方向に沿った側壁３２１の内側に、各々記録紙ガイド３２３が設けられている。２つの記録紙ガイド３２３は対向している。また、Ｙ１側のＸ１−Ｘ２方向に沿った側壁３２１の内側には、Ｘ１−Ｘ２方向に沿って２つの記録紙ガイド３２４が設けられており、各々の記録紙ガイド３２４のＺ１側の先端の近傍には、ロック爪３２４ａが設けられている。また、Ｙ２側のＸ１−Ｘ２方向に沿った側壁３２１の内側には、Ｘ１−Ｘ２方向に沿ったロック爪３２５が設けられている。
【００３０】
上蓋３１０と下蓋３２０とは、凹部３１２と凹部３２２とが対向した状態で接続される。この状態で、下蓋３２０の記録紙ガイド３２４の先端に設けられたロック爪３２４ａが、上蓋３１０の側壁３１１の内側に設けられているロック溝３１５に入り込み、また、下蓋３２０のロック爪３２５が上蓋３１０の開口３１４の縁に引っ掛かり、上蓋３１０と下蓋３２０との接続状態が維持される。凹部３１２と凹部３２２との間に形成される空間内に記録紙を設置することができる。
【００３１】
凹部３２２の底面３２２ａには板バネ３５０が設けられている。板バネ３５０は、図２１に示すように、上蓋３１０と下蓋３２０との間に収納されている記録紙１５０の枚数が少なくなった場合に、バネ力により記録紙１５０をＺ１方向に持ちあげ、記録紙１５０を第２の搬送ローラ３４０に接触させる機能を有している。これにより、カセット３００に収納されている記録紙１５０の枚数が少なくなっても、円滑に記録紙１５０を供給することができる。
【００３２】
本実施の形態においては、上蓋３１０と下蓋３２０とが接続されている状態でカセット３００を用いてもよいが、上蓋３１０と下蓋３２０とを分離し、上蓋３１０と下蓋３２０との間に記録紙を設置してもよい。図２２から図２４に示すように、凹部３１２と凹部３２２とを対向させた状態で、上蓋３１０と下蓋３２０の間に積み重ねられた記録紙１５０を設置してもよい。尚、図２２は、この状態を示す斜視図であり、図２３は側面図であり、図２４は正面図である。
【００３３】
上蓋３１０と下蓋３２０とが接続されている状態では、記録紙１５０は上蓋３１０と下蓋３２０との間の空間内に設置されるため、あまり多くの枚数を収納することができない。これに対し、上蓋３１０と下蓋３２０とを分離した状態では、上蓋３１０と下蓋３２０との間に多くの枚数の記録紙１５０を設置することができ、記録紙１５０が多い場合に対応できる。尚、本実施の形態において用いられる記録紙１５０の大きさは、例えば、Ａ８（５２ｍｍ×７４ｍｍ）である。
【００３４】
本実施の形態では、記録紙として単票を用いている。ロール紙を用いた場合には、印刷装置を小型にすることに伴い半径の小さなロール紙を用いることが必要となるが、半径の小さなロール紙を用いると、印刷後に強いカールが残ってしまい取り扱いにくい。このことは、印刷装置が小さくなればなるほど強くなる。よって、本実施の形態では、小型になってもカール等が残ることのない単票を記録紙として用いている。但し、本実施の形態による印刷装置でロール紙を用いることも当然可能である。
【００３５】
（ジャケットとカセットとの接続）
次に、互いに接続された状態のジャケット１１０とカセット３００について、図２５から図２８に基づき説明する。尚、図２５は互いに接続されたジャケット１１０とカセット３００とを底面から見た斜視図であり、図２６は上面から見た斜視図であり、図２７は側面図であり、図２８は正面図である。尚、図２５から図２８に示されているカセット３００は、携帯する際に開口３１４よりゴミ等が入るのを防ぐため、開口３１４が開口蓋により閉じられている状態のものを示している。
【００３６】
本実施の形態においては、上述したように、ベース板４００のＺ１側の面４００ａには、ジャケット１１０の下蓋１１２の外側面１１２ｂが取り付けられ、ベース板４００のＺ２側の面４００ｂには、上蓋３１０の外側の面が取り付けられる。
【００３７】
印刷装置は、ベース板４００、ジャケット１１０、カセット３００の各々が分離されるものであってもよい。また、ベース板４００とジャケット１１０が一体化されたものであってもよく、ベース板４００とカセット３００が一体化されたものであってもよい。更には、ベース板４００、ジャケット１１０、カセット３００が一体化されたものであってもよい。
【００３８】
また、ベース板４００の面４００ｂの、カセット３００が取り付けられていないＸ１側には、プリンタ２００を駆動するための不図示のバッテリを設置してもよい。この場合、プリンタ２００から電源２８０を取り外し、ベース板４００に取り付けられたバッテリと接続してもよい。
【００３９】
本実施の形態における印刷装置は、図２５から図２８に示す状態のクリップ４１１、４１２にプリンタ２００を入れることにより、図１から図１０に示す印刷装置となる。この際、カセット３００の開口３１４にプリンタ２００の一部が入り込み、開口３１４と給紙口２５１及び排紙口２５２とがつながった状態となる。
【００４０】
（印刷動作）
次に、印刷装置の印刷について、図２９に基づき説明する。図２９はプリンタ２００とカセット３００とが接続されている状態を示す。尚、図２９では、便宜上、上蓋３１０と下蓋３２０とが接続されている状態を示しており、ジャケット１１０及びベース板４００は省略されている。
【００４１】
クリップ４１１、４１２にプリンタ２００を入れ、カセット３００の開口３１４とプリンタ２００の給紙口２５１及び排紙口２５２とがつながった状態では、プリンタ２００の給紙ローラ２１３とカセット３００の第１の搬送ローラ３３０とが接触した状態となる。第１の搬送ローラ３３０は給紙ローラ２１３の回転を受けて回転する。カセット３００には、第１の搬送ローラ３３０の回転に伴い第２の搬送ローラ３４０を回転させる第１のギア３７１及び第２のギア３７２が設けられている。第１の搬送ローラ３３０には第１のギア３７１が接続されており、第１のギア３７１には第２のギア３７２が接続されており、第２のギア３７２には第２の搬送ローラ３４０が接続されている。尚、図２９においては、第１のギア３７１及び第２のギア３７２の歯は、便宜上省略されている。
【００４２】
プリンタ２００で印刷を行う際には、記録紙を印刷ヘッド２１１に向けて搬送するために、給紙ローラ２１３が図示反時計回りに回転する。給紙ローラ２１３が反時計回りに回転すると、給紙ローラ２１３に接触している第１の搬送ローラ３３０は時計回りに回転し、この回転が第１のギア３７１及び第２のギア３７２を介し第２の搬送ローラ３４０に伝達される。第１の搬送ローラ３３０が時計回りに回転すると、第１のギア３７１が反時計回りに回転し、第２のギア３７２が時計回りに回転し、第２の搬送ローラ３４０が反時計回りに回転する。
【００４３】
第２の搬送ローラ３４０は一番上の記録紙の表面と接触しており、第２の搬送ローラ３４０が反時計回りに回転することにより、記録紙はＹ２方向に動き、プリンタ２００に向けて搬送され、開口３１４と給紙口２５１及び排紙口２５２とがつながっている領域を通り、給紙ローラ２１３と第１の搬送ローラ３３０との間に挟まれて、印刷ヘッド２１１に向けて搬送される。第１の搬送ローラ３３０及び第２の搬送ローラ３４０は、ワンウェイ機能を有している。
【００４４】
印刷装置において印刷を行う場合には、ジャケット１１０の上蓋１１１を開き、携帯情報端末１００に設けられたタッチパネルを操作することにより、印刷の指示を携帯情報端末１００に入力する。携帯情報端末１００のタッチパネル操作で指示などを入力することにより、携帯情報端末１００のメモリに記憶された印刷情報や印刷を指示するための信号が、ＢＬＥ等の通信により印刷装置に送信され、この情報に基づき記録紙に印刷が行われる。
【００４５】
（印刷装置の使用方法）
次に、本実施の形態における印刷装置の使用方法について、図３０に基づき説明する。本実施の形態では、カセット３００の上蓋３１０と下蓋３２０とを分離し、上蓋３１０の凹部３１２と下蓋３２０の凹部３２２とを対向させた状態で、上蓋３１０と下蓋３２０との間に積み重ねられた記録紙１５０を設置する。このように記録紙１５０を設置することにより、カセット３００の大きさに関係なく、多くの枚数、例えば、１００〜３００枚の記録紙１５０をカセット３００に設置することが可能であり、多数の記録紙に印刷を行いたい場合に対応できる。カセット３００の上蓋３１０と下蓋３２０とを分離することにより、積み重ねられた記録紙１５０の側面、即ち、Ｘ１−Ｘ２方向やＹ１−Ｙ２方向に側壁を有しない仮想のスタックホルダー（ＶＳＨ：virtual stack holder）が形成される。尚、Ｚ２方向が重力方向である。本実施の形態における印刷装置を持ち運ぶ際には、カセット３００の上蓋３１０と下蓋３２０とを接続した状態で持ち運ぶ。
【００４６】
本実施の形態においては、図３０に示すように、記録紙１５０を高く積み重ねた状態でも、印刷装置がバランスを崩すことなく図３０に示される状態を維持するために、ベース板４００のＸ２側の端部近傍には重心を調節する重心調節部となる錘４２０が設けられている。錘４２０は、印刷装置の重心が記録紙１５０の紙面の中心と一致するように重さや設置位置が調整される。錘４２０を設けることにより、上蓋３１０と下蓋３２０との間に多くの枚数の記録紙１５０を設置しても、印刷装置がバランスを崩すことはなく、積み重ねられた記録紙１５０が崩れることはない。錘４２０は、ベース板４００に、プリンタ２００、ジャケット１１０及びカセット３００の上蓋３１０が取り付けられ、ジャケット１１０に携帯情報端末が保持されている状態のものの重心と、記録紙１５０の紙面の中心とが一致するように取り付けられている。尚、錘４２０は、長手方向は、携帯情報端末のヘッド側となるＸ２方向側が軽くなる為、回転モーメントを相殺するように調整するため、ヘッド側となるＸ２方向側の底面に設けられている。また、記録紙１５０の幅方向には、携帯情報端末は均等であるため、ジャケット１１０とプリンタ２００、カセット３００の上蓋３１０による重心設計を行う。
【００４７】
このように記録紙１５０の上に印刷装置を設置している状態では、印刷装置の自重が積み重ねられた記録紙１５０に加わる。このため、一番上の記録紙１５０は、カセット３００の第２の搬送ローラ３４０と接触している。
【００４８】
このため、上述したように、第２の搬送ローラ３４０が反時計回りに回転すると、一番上の記録紙１５０はＹ２方向に搬送され、給紙口２５１及び排紙口２５２に向けて搬送される。尚、上から２枚目以降の記録紙１５０が一番上の記録紙１５０とともに搬送されることを防ぐため、上蓋３１０には記録紙係止部が設けられていてもよい。記録紙係止部は、一番上の記録紙１５０が第２の搬送ローラ３４０が反時計回りに回転し、Ｙ２方向に搬送された際に、２枚目以降の記録紙１５０のＹ２方向側の端部を押さえ、一番目の記録紙１５０とともに搬送されることを防ぐためのものである。
【００４９】
印刷装置により記録紙１５０に印刷を行うと、積み重ねられた記録紙１５０は徐々に減り、図３１に示されるような状態となる。更に印刷を行うことにより、図３２に示すように上蓋３１０と下蓋３２０とが接続される。この状態では、記録紙１５０は、図２１に示されるように下蓋３２０に設けられた板バネ３５０により上方向、即ち、Ｚ１方向に押し上げられるため、一番上の記録紙１５０の表面が第２の搬送ローラ３４０と接触している状態が維持される。
【００５０】
また、印刷装置は、図３３及び図３４に示すように、長い記録紙１５１に印刷をすることも可能である。図３３はこの状態の様子を示す斜視図であり、図３４は上面図である。
【００５１】
図３３及び図３４状態では、記録紙１５１の長手方向がＸ１−Ｘ２方向となるように設置し、プリンタ２００は電源２８０を外してベース板４００のＸ２側の端に設置する。このため、クリップの位置もベース板４００のＹ２側の側面ではなく、Ｘ２側の側面に設けられる。この状態では、プリンタ２００は長手方向がＹ１−Ｙ２方向となるように設置され、記録紙１５１はＸ２方向に排出される。
【００５２】
（クリップ型カセット）
本実施の形態におけるカセットは、図３５及び図３６に示されるように、円筒状に形成されたクリップ型のカセット３０１であってもよい。クリップ型のカセット３０１における開口部３０１ａを形成しているクリップ部分は、腕クリップであり、腕等に取り付けることができる。記録紙は、カセット３０１の内部に設置することができる。このカセット３０１は、開口部３０１ａに印刷装置を支持するための円柱状の支持体５００を入れることにより、図３７に示されるように、支持体５００に自由に取り付けることができ、印刷等の作業における自由度を高めることができる。
【００５３】
カセット３０１の内部には、長さが１５０ｍｍの長い記録紙（長票）であれば２０〜３０枚程度入れることができる。カセット３０１の円筒部分の半径は大きいため、記録紙のカール等は殆どない。カセット３０１の内部には、長票ではなく、長さの短い短票を入れることも可能であり、この場合には、カセット３０１の内部に１００〜１５０枚程度の短票を入れることができる。
【００５４】
このような印刷装置においても、携帯情報端末１００からの情報をタッチパネルによる操作に基づき、記録紙に印刷して出力することができる。
【００５５】
以上、本発明の実施に係る形態について説明したが、上記内容は、発明の内容を限定するものではない。
【符号の説明】
【００５６】
１００      携帯情報端末
１１０      ジャケット
２００      プリンタ
２１２      プラテンローラ
２１３      給紙ローラ
２５１、２６１      給紙口
２５２、２６２      排紙口
２６０      外蓋
３００      カセット
３１０      上蓋
３１３、３２３、３２４        記録紙ガイド
３１４      開口
３１５      ロック溝
３２０      下蓋
３２４ａ、３２５    ロック爪
３３０      第１の搬送ローラ
３４０      第２の搬送ローラ
３５０      板バネ
４００      ベース板
４１１、４１２      クリップ
４２０      錘
【図１】
2019005923.tif 000003
【図２】
2019005923.tif 000004
【図３】
2019005923.tif 000005
【図４】
2019005923.tif 000006
【図５】
2019005923.tif 000007
【図６】
2019005923.tif 000008
【図７】
2019005923.tif 000009
【図８】
2019005923.tif 000010
【図９】
2019005923.tif 000011
【図１０】
2019005923.tif 000012
【図１１】
2019005923.tif 000013
【図１２】
2019005923.tif 000014
【図１３】
2019005923.tif 000015
【図１４】
2019005923.tif 000016
【図１５】
2019005923.tif 000017
【図１６】
2019005923.tif 000018
【図１７】
2019005923.tif 000019
【図１８】
2019005923.tif 000020
【図１９】
2019005923.tif 000021
【図２０】
2019005923.tif 000022
【図２１】
2019005923.tif 000023
【図２２】
2019005923.tif 000024
【図２３】
2019005923.tif 000025
【図２４】
2019005923.tif 000026
【図２５】
2019005923.tif 000027
【図２６】
2019005923.tif 000028
【図２７】
2019005923.tif 000029
【図２８】
2019005923.tif 000030
【図２９】
2019005923.tif 000031
【図３０】
2019005923.tif 000032
【図３１】
2019005923.tif 000033
【図３２】
2019005923.tif 000034
【図３３】
2019005923.tif 000035
【図３４】
2019005923.tif 000036
【図３５】
2019005923.tif 000037
【図３６】
2019005923.tif 000038
【図３７】
2019005923.tif 000039